(57)【要約】【課題】検査時における開封容易性を確保しながら、不正な開封をより困難にし、或いは、連結部の切断痕が残り易くすること。【解決手段】封印具と、該封印具が挿入されて嵌合する挿嵌部と、遊技台の制御基板を収容した基板ケースと前記挿嵌部とを連結し、開封時に切断される連結部と、を備えた遊技台用制御基板の封印構造において、前記連結部が、並設された第１及び第２の連結部を含み、前記第１及び第２の連結部の少なくともいずれか一方の一部に、他の部分よりも横断面積が大きい切断障害部を設けたことを特徴とする。【選択図】図６
2011041761.tif 000002
【特許請求の範囲】
【請求項１】
封印具と、該封印具が挿入されて嵌合する挿嵌部と、遊技台の制御基板を収容した基板ケースと前記挿嵌部とを連結し、開封時に切断される連結部と、を備えた遊技台用制御基板の封印構造において、
前記連結部が、並設された第１及び第２の連結部を含み、
前記第１及び第２の連結部の少なくともいずれか一方の一部に、他の部分よりも横断面積が大きい切断障害部を設けたことを特徴とする遊技台用制御基板の封印構造。
【請求項２】
前記第１の連結部の、前記挿嵌部側に前記切断障害部を設け、
前記第２の連結部の、前記基板ケース側に前記切断障害部を設けたことを特徴とする請求項１に記載の遊技台用制御基板の封印構造。
【請求項３】
前記第１の連結部の前記切断障害部以外の部分と、前記第２の連結部の前記切断障害部以外の部分と、を通過する任意の仮想平面に、前記第１の連結部の前記切断障害部及び前記第２の連結部の前記切断障害部の少なくともいずれか一方が干渉するように、これらの切断障害部を設けたことを特徴とする請求項２に記載の遊技台用制御基板の封印構造。
【請求項４】
前記第１及び第２の連結部は、前記挿嵌部に対する前記封印具の挿入方向と直交する方向と平行な方向にずれて配置されたことを特徴とする請求項１乃至３のいずれか１項に記載の遊技台用制御基板の封印構造。
【請求項５】
前記第１及び第２の連結部は、前記挿嵌部に対する前記封印具の挿入方向を中心とした仮想円上で周方向にずれて配置されたことを特徴とする請求項１乃至３のいずれか１項に記載の遊技台用制御基板の封印構造。
【請求項６】
前記第１及び第２の連結部は、前記挿嵌部に対する前記封印具の挿入方向と平行な方向にずれて配置されたことを特徴とする請求項１乃至５のいずれか１項に記載の遊技台用制御基板の封印構造。
【請求項７】
前記遊技台に設けられ、前記基板ケースが装着される基板ケース装着部を備え、
前記封印具は前記挿嵌部を貫通し、
前記基板ケース装着部は、前記挿嵌部を貫通した前記封印具の先端が挿入される孔部を有することを特徴とする請求項１に記載の遊技台用制御基板の封印構造。
【請求項８】
前記基板ケースが、第１のケース部材と第２のケース部材とを組み合わせて構成され、
前記挿嵌部は、前記第１及び第２のケース部材毎に設けられ、
前記封印具は、前記第１及び第２のケース部材を分離不能とすることを特徴とする請求項１に記載の遊技台用制御基板の封印構造。
【発明の詳細な説明】
【技術分野】
【０００１】
本発明は、スロットマシン（パチスロ）、パチンコ機等の遊技台に関し、特に遊技台の制御基板の封印構造に関する。
【背景技術】
【０００２】
一般にスロットマシン（パチスロ）に代表される遊技台では、その制御基板は不正に改変されることを防止する必要があるため、基板ケースに収納されて遊技台内部に封止されている。一方、制御基板はその改変がないことを公的機関が確認するため、複数回検査に付される。このため、制御基板の封止構造には、検査時には開封が容易である一方で、不正に開封されたか否かの痕跡が容易に判別可能であることが求められる。
【０００３】
制御基板の封止構造としては、基板ケースを分解して開封しようとすると痕跡が残るようにしたもの（例えば、特許文献１）や、基板ケース自体を遊技台から取り外そうとすると痕跡が残るようにしたものが提案されている。いずれの構造の場合も、封印具と、封印具が挿入されて嵌合する挿嵌部と、基板ケースと挿嵌部とを連結し、開封時に切断される連結部と、を有し、これらが少なくとも予定されている検査回数分だけ設けられている。
【０００４】
そして、検査時には封印具が嵌合している挿嵌部を連結する連結部を切断し、封印具ごと挿嵌部を取り外すことで封印を解いて検査する。検査終了時には、未使用の挿嵌部に対して封印具を挿入して嵌合し、再び制御基板を封印する。連結部に切断痕が残ることから、検査回数と、切断された連結部の数と、が合わない場合に不正行為がなされたと判断できる。
【先行技術文献】
【特許文献】
【０００５】
【特許文献１】特開２００３−２６５８１２号公報
【発明の概要】
【発明が解決しようとする課題】
【０００６】
しかしながら、レーザカッターやニクロム線カッター等を使用することで、切断痕が目立たないように連結部を切断する不正行為が横行しつつあり、その対策が望まれている。
【０００７】
従って、本発明の目的は、検査時における開封容易性を確保しながら、不正な開封をより困難にし、或いは、連結部の切断痕が残り易くすることにある。
【課題を解決するための手段】
【０００８】
本発明によれば、封印具と、該封印具が挿入されて嵌合する挿嵌部と、遊技台の制御基板を収容した基板ケースと前記挿嵌部とを連結し、開封時に切断される連結部と、を備えた遊技台用制御基板の封印構造において、前記連結部が、並設された第１及び第２の連結部を含み、前記第１及び第２の連結部の少なくともいずれか一方の一部に、他の部分よりも横断面積が大きい切断障害部を設けたことを特徴とする遊技台用制御基板の封印構造が提供される。
【発明の効果】
【０００９】
本発明によれば、検査時における開封容易性を確保しながら、不正な開封をより困難にし、或いは、連結部の切断痕が残り易くすることができる。
【図面の簡単な説明】
【００１０】
【図１】本発明の実施形態に係る封印構造を適用したスロットマシン１００の外観斜視図。
【図２】スロットマシン１００の内部に設けられた基板ケース２０及びリール１１０乃至１１２を搭載したリールユニットの配置の説明図。
【図３】基板ケース２０及び背板１０１ａへのその取り付け構造の分解斜視図。
【図４】第１の封印構造の断面図であり、（ａ）は未封印時、（ｂ）は封印時を示す。
【図５】（ａ）は基板ケース装着部１０への基板ケース２０の取り付け方法の説明図、（ｂ）及び（ｃ）は基板ケース装着部１０へのカバー部材３０の取り付け方法の説明図。
【図６】（ａ）は挿嵌部２１０の斜視図、（ｂ）は挿嵌部２１０の拡大図、（ｃ）は図６（ｂ）の線Ａ−Ａに沿う断面図。
【図７】（ａ）乃至（ｃ）は連結部の他の構成例を示す図。
【図８】（ａ）及び（ｂ）は連結部の他の構成例を示す図。
【図９】（ａ）及び（ｂ）は連結部の他の構成例を示す図。
【図１０】（ａ）及び（ｂ）は連結部の他の構成例を示す図。
【図１１】（ａ）は切断障害部の配置例の説明図、（ｂ）は切断痕の例を示す図。
【図１２】挿嵌部及び連結部の他の構成例を示す図。
【図１３】（ａ）は挿通部２２０に連結部２２１、２２２を設けた例の説明図、（ｂ）は図１３（ａ）の線Ｂ−Ｂに沿う断面図。
【図１４】シート１０１ｂを設けた例の説明図。
【図１５】シート１０１ｂを設けた例の側面図。
【図１６】（ａ）は、封印具が下ケース部材２２側の構成と嵌合する形式の封印構造の説明図、（ｂ）及び（ｃ）は連結部の例を示す図。
【発明を実施するための形態】
【００１１】
＜第１実施形態＞
図１は本発明の実施形態に係る封印構造を適用したスロットマシン１００の外観斜視図である。本実施形態ではスロットマシンに本発明を適用した例を例示するが、本発明の封印構造はパチンコ機等、他の遊技台にも適用可能である。
【００１２】
＜全体構成＞
図１に示すスロットマシン１００は、本体１０１と、本体１０１の正面に取り付けられ、本体１０１に対して開閉可能な前面扉１０２と、を備える。本体１０１の中央内部には、（図示省略）外周面に複数種類の図柄が配置されたリールが３個（左リール１１０、中リール１１１、右リール１１２）収納され、スロットマシン１００の内部で回転できるように構成されている。これらのリール１１０乃至１１２はステッピングモータ等の駆動装置により回転駆動される。
【００１３】
本実施形態において、各図柄は帯状部材に等間隔で適当数印刷され、この帯状部材が所定の円形筒状の枠材に貼り付けられて各リール１１０乃至１１２が構成されている。リール１１０乃至１１２上の図柄は、遊技者から見ると、図柄表示窓１１３から縦方向に概ね３つ表示され、合計９つの図柄が見えるようになっている。そして、各リール１１０乃至１１２を回転させることにより、遊技者から見える図柄の組み合せが変動することとなる。つまり、各リール１１０乃至１１２は複数種類の図柄の組み合せを変動可能に表示する表示装置として機能する。なお、このような表示装置としてはリール以外にも液晶表示装置等の電子画像表示装置も採用できる。また、本実施形態では、３個のリールをスロットマシン１００の中央内部に備えているが、リールの数やリールの設置位置はこれに限定されるものではない。
【００１４】
各々のリール１１０乃至１１２の背面には、図柄表示窓１１３に表示される個々の図柄を照明するためのバックライト（図示省略）が配置されている。バックライトは、各々の図柄ごとに遮蔽されて個々の図柄を均等に照射できるようにすることが望ましい。なお、スロットマシン１００内部において各々のリール１１０乃至１１２の近傍には、投光部と受光部から成る光学式センサ（図示省略）が設けられており、この光学式センサの投光部と受光部の間をリールに設けられた一定の長さの遮光片が通過するように構成されている。このセンサの検出結果に基づいてリール上の図柄の回転方向の位置を判断し、目的とする図柄が入賞ライン上に表示されるようにリール１１０乃至１１２を停止させる。
【００１５】
入賞ライン表示ランプ１２０は、有効となる入賞ライン１１４を示すランプである。有効となる入賞ラインは、遊技媒体としてベットされたメダルの数によって予め定まっている。入賞ライン１１４は５ラインあり、例えば、メダルが１枚ベットされた場合、中段の水平入賞ラインが有効となり、メダルが２枚ベットされた場合、上段水平入賞ラインと下段水平入賞ラインが追加された３本が有効となり、メダルが３枚ベットされた場合、右下り入賞ラインと右上り入賞ラインが追加された５ラインが入賞ラインとして有効になる。なお、入賞ライン１１４の数については５ラインに限定されるものではなく、また、例えば、メダルが１枚ベットされた場合に、中段の水平入賞ライン、上段水平入賞ライン、下段水平入賞ライン、右下り入賞ラインおよび右上り入賞ラインの５ラインを入賞ラインとして有効としてもよい。
【００１６】
告知ランプ１２３は、例えば、入賞役の内部抽選において特定の入賞役（具体的には、ボーナス）に内部当選していること、または、ボーナス遊技中であることを遊技者に知らせるランプである。遊技メダル投入可能ランプ１２４は、遊技者が遊技メダルを投入可能であることを知らせるためのランプである。再遊技ランプ１２２は、前回の遊技において入賞役の一つである再遊技に入賞した場合に、今回の遊技が再遊技可能であること（メダルの投入が不要であること）を遊技者に知らせるランプである。リールパネルランプ１２８は演出用のランプである。
【００１７】
ベットボタン１３０乃至１３２は、スロットマシン１００に電子的に貯留されているメダル（クレジットという）を所定の枚数分投入するためのボタンである。本実施形態においては、ベットボタン１３０が押下される毎に１枚ずつ最大３枚まで投入され、ベットボタン１３１が押下されると２枚投入され、ベットボタン１３２が押下されると３枚投入されるようになっている。以下、ベットボタン１３２はＭＡＸベットボタンとも言う。なお、遊技メダル投入ランプ１２９は、投入されたメダル数に応じた数のランプを点灯させ、規定枚数のメダルの投入があった場合、遊技の開始操作が可能な状態であることを知らせる遊技開始ランプ１２１が点灯する。
【００１８】
メダル投入口１４１は、遊技を開始するに当たって遊技者がメダルを投入するための投入口である。すなわち、メダルの投入は、ベットボタン１３０乃至１３２により電子的に投入することもできるし、メダル投入口１３４から実際のメダルを投入（投入操作）することもでき、投入とは両者を含む意味である。メダル投入口１４１に投入されたメダルは、スロットマシン１００の内部に設けられたメダルセレクタを通過し、正規メダルの選別がなされると共に、メダルの通過が検出される。
【００１９】
貯留枚数表示器１２５は、スロットマシン１００に電子的に貯留されているメダルの枚数を表示するための表示器である。遊技情報表示器１２６は、各種の内部情報（例えば、ボーナス遊技中のメダル払出枚数）を数値で表示するための表示器である。払出枚数表示器１２７は、何らかの入賞役に入賞した結果、遊技者に払出されるメダルの枚数を表示するための表示器である。貯留枚数表示器１２５、遊技情報表示器１２６、および、払出枚数表示器１２７は、７セグメント（ＳＥＧ）表示器とした。
【００２０】
スタートレバー１３５は、リール１１０乃至１１２の回転を開始させるためのレバー型のスイッチである。即ち、メダル投入口１３４に所望するメダル枚数を投入するか、ベットボタン１３０乃至１３２を操作して、スタートレバー１３５を操作すると、リール１１０乃至１１２が回転を開始することとなる。スタートレバー１３５に対する操作を遊技の開始操作と言う。
【００２１】
ストップボタンユニット１３６には、ストップボタン１３７乃至１３９が設けられている。ストップボタン１３７乃至１３９は、スタートレバー１３５の操作によって回転を開始したリール１１０乃至１１２を個別に停止させるためのボタン型のスイッチであり、各リール１１０乃至１１２に対応づけられている。以下、ストップボタン１３７乃至１３９に対する操作を停止操作と言い、最初の停止操作を第１停止操作、次の停止操作を第２停止操作、最後の停止操作を第３停止操作という。なお、各ストップボタン１３７乃至１３９の内部に発光体を設けてもよく、ストップボタン１３７乃至１３９の操作が可能である場合、該発光体を点灯させて遊技者に知らせることもできる。
【００２２】
メダル返却ボタン１３３は、投入されたメダルが詰まった場合に押下してメダルを取り除くためのボタンである。精算ボタン１３４は、スロットマシン１００に電子的に貯留されたメダル、ベットされたメダルを精算し、メダル払出口１５５から排出するためのボタンである。ドアキー孔１４０は、スロットマシン１００の前面扉１０２のロックを解除するためのキーを挿入する孔である。
【００２３】
ストップボタンユニット１３６の下部には、機種名の表示と各種証紙の貼付とを行うタイトルパネル１６２が設けられている。タイトルパネル１６２の下部には、メダル払出口１５５、メダルの受け皿１６１が設けられている。
【００２４】
音孔１８０はスロットマシン１００内部に設けられているスピーカの音を外部に出力するための孔である。前面扉１０２の左右各部に設けられたサイドランプ１４４は遊技を盛り上げるための装飾用のランプである。前面扉１０２の上部には演出装置１６０が配設されており、演出装置１６０の上部には音孔１４３が設けられている。この演出装置１６０は、水平方向に開閉自在な２枚の右シャッタ１６３ａ、左シャッタ１６３ｂからなるシャッタ（遮蔽装置）１６３と、このシャッタ１６３の奥側に配設された液晶表示装置１５７（図示省略、演出画像表示装置）を備えており、右シャッタ１６３ａ、左シャッタ１６３ｂが液晶表示装置１５７の手前で水平方向外側に開くと液晶表示装置１５７（図示省略）の表示画面がスロットマシン１００正面（遊技者側）に出現する構造となっている。
【００２５】
なお、液晶表示装置でなくとも、種々の演出画像や種々の遊技情報を表示可能に構成されていればよく、例えば、複数セグメントディスプレイ（７セグディスプレイ）、ドットマトリクスディスプレイ、有機ＥＬディスプレイ、プラズマディスプレイ、リール（ドラム）、或いは、プロジェクタとスクリーンとからなる表示装置等でもよい。
【００２６】
また、表示画面は、方形をなし、その全体を遊技者が視認可能に構成している。本実施形態の場合、表示画面は長方形であるが、正方形でもよい。また、表示画面の周縁に不図示の装飾物を設けて、表示画面の周縁の一部が該装飾物に隠れる結果、表示画面が異形に見えるようにすることもできる。表示画面は本実施形態の場合、平坦面であるが、曲面をなしていてもよい。
【００２７】
係る構成のスロットマシン１００では、遊技者がメダルを投入し、スタートレバー１３５に対して開始操作を行うと、リール１１０乃至１１２が一斉に回転すると共に入賞役の内部抽選が行われる。続いて、ストップボタン１３７乃至１３９に対する遊技者の各停止操作が行われると、対応するリールの回転を停止させる。このとき、内部抽選結果に応じたリールの停止制御が行われる。そして、全リール１１０乃至１１２停止時にこれらのリールにより表示された図柄の組み合わせがいずれかの入賞役に対応する図柄の組み合わせであった場合にはその入賞役に入賞し、入賞した入賞役にメダルの払い出しが定められている場合はメダルが払い出される。このようなスロットマシン１００の遊技の制御は、ＣＰＵ等を搭載した制御基板により行われる。以下、制御基板の封印構造について説明する。
【００２８】
＜制御基板の封印構造＞
図２は、スロットマシン１００の内部に設けられた、制御基板を収容する基板ケース２０及びリール１１０乃至１１２を搭載したリールユニットの配置の説明図である。基板ケース２０は、基板ケース装着部１０を介して本体部１０１の背板１０１ａに支持されている。また、リールユニットも背板１０１ａに支持されている。
【００２９】
図３は、基板ケース２０及び背板１０１ａへのその取り付け構造の分解斜視図である。基板ケース２０は、上ケース部材２１と下ケース部材２１とを組み合わせて構成されており、その内部に制御基板１を収容する。制御基板１は、ＣＰＵ、ＲＯＭ、ＲＡＭ等のＩＣ（集積回路）や抵抗等の各種電子部品が実装された基板であり、スロットマシン１００の制御を司る。
【００３０】
上ケース部材２１と下ケース部材２２とには、これらを嵌め合わせるための幾つかの係止部２３が設けられ、対応する係止部２３を互いに係止することで基板ケース２０が完成する。
【００３１】
基板ケース２０には、制御基板１を封印するために２種の封印構造が４つずつ形成されて、４回の検査が可能になっている。第１の封印構造は、封印具４０と、上ケース部材２１に連結され、封印具４０が挿入されて嵌合する挿嵌部２１０と、下ケース部材２２に形成され、封印具４０の先端部が挿通する挿通部２２０と、を備える。第２の封印構造は、封印具５０と、上ケース部材２１に連結され、封印具５０が挿入されて嵌合する挿嵌部２１５と、下ケース部材２２に形成され、封印具４０の先端部が挿通する挿通部２２５と、を備える。
【００３２】
図４は、組付け後の第１の封印構造の断面図であり、（ａ）は未封印時、（ｂ）は封印時を示す。封印具４０は、ピン状に形成されており、相対的に先端部４１側のかえし部４２と相対的に後端部側のかえし部４３とを備える。挿嵌部２１０は封印具４０が挿入、嵌合する嵌合孔２１０ａを備え、挿通部２２０は封印具４０の先端部４１が挿通する孔２２０ａを備える。
【００３３】
図４（ａ）に示すように、未封印時においては封印具４０のかえし部４２が嵌合孔２１０ａに係合しており、封印具４０が挿嵌部２１０から抜けないようになっているが、これは封印具４０の紛失を防止するために単に嵌合孔２１０ａから脱落しないようになっている。この状態では先端部４１は孔２２０を貫通していない。
【００３４】
図４（ｂ）に示すように、封印時においては封印具４０のかえし部４３が嵌合孔２１０ａに係合しており、やはり封印具４０が挿嵌部２１０から抜けないようになっていると共に、先端部４１は孔２２０を貫通している。このため、先端部４１は基板ケース２０の背面側、つまり、下ケース部材２２の背面から突出する。開封時には、挿嵌部２１０を上ケース部材２１から切り離して封印具４０を挿嵌部２１０と共に取り去ることにより行う。
【００３５】
図示しないが第２の封印構造も、第１の封印構造と同様の構成である。但し、第１の封印構造では封印具４０の挿入方向が奥行き方向であるのに対し、第２の封印構造は封印具５０の挿入方向が上下方向であり、その先端部は基板ケース２０の内部に突出することになる。
【００３６】
図３に戻り、基板ケース装着部１０には、４つの第１の封印構造の各位置に合わせて設けられた４つの孔１１を有する。この孔１１には封印時に封印具４０の先端部４１が挿入される。左右のカバー部材３０、３１は基板ケース装着部１０に取り付けられ、基板ケース２０が奥行き方向に移動できないようにする。
【００３７】
図５（ａ）は基板ケース装着部１０への基板ケース２０の取り付け方法の説明図、図５（ｂ）及び（ｃ）は基板ケース装着部１０へのカバー部材３０の取り付け方法の説明図である。基板ケース２０は、基板ケース装着部１０の凹部に押し当てた状態で、カバー部材３０及び３１を基板ケース装着部１０に取り付けることにより装着する。
【００３８】
カバー部材３０は図５（ｂ）及び（ｃ）に示すように、基板ケース装着部１０の側方から基板ケース装着部１０に装着し、基板ケース装着部１０の係止部１２にカバー部材３０の係止部３０ａを係止することで取り付ける。この後、破断しなければ取り外しできないネジ等によりカバー部材３０を基板ケース装着部１０に固定する。つまり、カバー部材３０は、一旦基板ケース装着部１０に固定されると、その後、取り外すことはできない（無理に取り外せば痕跡が残るようにする）。カバー部材３１も同様な構成で基板ケース装着部１０に固定する。
【００３９】
カバー部材３０、３１が基板ケース装着部１０に固定された状態であっても、基板ケース２０は基板ケース装着部１０上で所定範囲で左右にスライドできるので、カバー部材３０、３１をよけるようにスライドして斜めに抜き去ることで取り外すことができる。
【００４０】
そこで、封印時には、未使用の封印具４０を、対応する孔１１に位置合わせを行った上で、図４（ｂ）に示したように奥まで挿入して、先端部４１を、対応する孔１１に挿入する。これにより基板ケース２０が基板ケース装着部１０上で左右にスライドできなくなり、かつ、奥行き方向にはカバー部材３０、３１で移動が規制されるので、取り外せなくなる。こうして制御基板１が封印される。
【００４１】
また、未使用の封印具５０を奥まで挿入することで、上ケース部材２１と下ケース部材２２とを分離することができなくなる。封印具５０は、上ケース部材２１に連結された挿嵌部２１５とのみ嵌合しており、下ケース部材２２に連結された挿通部２２５とは嵌合していないので、上ケース部材２１と下ケース部材２２とを、相対的に上下方向にずらすことを規制するものではないが、係止部２３の係止により上下方向にすらずことは規制されているので、上ケース部材２１と下ケース部材２２とが分離不能となり、制御基板１が封印されることになる。
【００４２】
本実施形態では、このように２種の封印構造を有しているが、いずれか一方の封印構造を備えてもよい。
【００４３】
＜挿嵌部の連結構造＞
次に、挿嵌部２１０と上ケース部材２１との連結構造について説明する。なお、挿嵌部２２０と上ケース部材２１との連結構造も同様の連結構造を採用可能である。図６（ａ）は挿嵌部２１０の斜視図、（ｂ）は挿嵌部２１０の拡大図、（ｃ）は図６（ｂ）の線Ａ−Ａに沿う断面図である。図６（ａ）において、左端の挿嵌部２１０には封印具４０が嵌合している。他の挿嵌部２１０は未使用である。
【００４４】
挿嵌部２１０は、封印具４０の挿入方向（本実施形態の場合奥行き方向）と直交する方向と平行な方向にずれて並設された（本実施形態の場合左右に並設された）連結部２１１、２１２により上ケース部材２１に連結されている。なお、上ケース部材２１、下ケース部材２２、挿嵌部２１０、２２０並びに封印具４０、５０は本実施形態の場合、いずれも樹脂製である。
【００４５】
連結部２１１、２１２は、検査時の切断作業に影響を与えない範囲で、より近接していることが望ましく、本実施形態のように挿嵌部２１０が多面体（本実施形態では直方体）である場合、同じ面に配設されていることが好ましい。
【００４６】
本実施形態の場合、連結部２１１、２１２は、いずれも、切断許容部２１１ａ、２１２ａと、切断許容部２１１ａ、２１２ａよりも横断面積が大きい切断障害部２１１ｂ、２１２ｂを有する。切断障害部２１１ｂ、２１２ｂの横断面積は、切断許容部２１１ａ、２１２ａの横断面積よりも好ましくは２倍以上、更に好ましくは４倍以上であり、大きい程好ましい。
【００４７】
本実施形態の場合、連結部２１１については、切断障害部２１１ｂが上ケース部材２１側に設けられ、連結部２１２については、切断障害部２１２ｂが挿嵌部２１０側に設けられている。
【００４８】
さて、検査時に開封する場合には、ニッパ等で連結部２１１、２１２の切断許容部２１１ａ、２１２ａを切断する。すると、挿嵌部２１０が封印具４０と共に取り外されて封印が解除される。切断許容部２１１ａ、２１２ａは切断が容易なように細くてよい。ニッパ等で切断した場合には、切断痕が残るので開封されたことがすぐに分かる。
【００４９】
一方、不正行為者がレーザカッターやニクロム線カッター等を使用することで、切断痕が目立たないように連結部２１１、２１２を切断する場合を想定すると、切断痕が目立たないためには、レーザカッタ等でスムーズにスッと切断する必要がある。本実施形態の場合、連結部２１１、２１２が並設されているので、これらを横切るようにしてスムーズに切断できれば、切断痕が目立たないようにすることが可能であるが、切断障害部２１１ｂ、２１２ｂの存在により、これを切断する際にスムーズに切断できず、切断痕が残ることになる。切断許容部２１１ａ、２１２ａのみを狙って切断しようとしても、切断障害部２１１ｂ、２１２ｂの存在により、切断許容部２１１ａ、２１２ａが小さい範囲にしかないことから、相当の精度で狙って切断しなければならず、切断痕が目立たないように切断することは極めて困難である。特に、本実施形態の場合、連結部２１１については、切断障害部２１１ｂが上ケース部材２１側に設けられ、連結部２１２については、切断障害部２１２ｂが挿嵌部２１０側に設けられていることから、レーザカッタ等を左右に直線的に動かすと切断障害部２１１ｂ、２１２ｂに干渉してしまい、切断痕が残る。加えて、切断障害部２１１ｂ、２１２ｂの上下方向の長さが切断許容部２１１ａ、２１２ａの上下方向の長さよりも長いため、水平にレーザカッタ等を直線的に動かすと、必ず切断障害部２１１ｂ、２１２ｂに干渉して切断痕が残る。
【００５０】
このように本実施形態では、検査時における開封容易性を確保しながら、不正な開封をより困難にし、或いは、連結部の切断痕が残り易くすることができる。
【００５１】
＜連結部の他の構成例＞
以下、連結部２１１、２１２の他の構成例について説明する。連結部２１１、２１２構成は、全ての挿嵌部２１０について同じにする必要はなく、異ならせてもよい。図７（ａ）は、左端と左端から３番目の挿嵌部２１０と、他の挿嵌部２１０とについて連結部２１１、２１２の構成を異ならせた例であり、切断許容部２１１ａ、２１２ａと、切断障害部２１１ｂ、２１２ｂとの比率（上下方向の長さ）を代えたものである。
【００５２】
このようにすることで、不正行為者が、別の挿嵌部２１０と同様の間隔で切断しようとするとミスを生じ易くなる。なお、各挿嵌部２１０毎に連結部２１１、２１２の構成を異ならせてもよい。
【００５３】
次に、各連結部２１１、２１２に切断障害部２１１ｂ、２１２ｂを複数箇所設けてもよい。図７（ｂ）は各連結部２１１、２１２に切断障害部２１１ｂ、２１２ｂを２ヶ所設けた例であり、特に、連結部２１１、２１２の両端部にそれぞれ設けている。こうすることで、切断許容部２１１ａ、２１２ａが更に狭くなり、不正行為を防止できる。
【００５４】
次に、切断障害部２１１ｂ、２１２ｂは連結部２１１、２１２のうちの少なくともいずれか一方に設けられていてもよい。図７（ｃ）は連結部２１２にのみ切断障害部２１２ｂを設けた例である。この場合、不正行為の防止効果は上記各例よりも劣るが一定の防止効果は得られる。
【００５５】
次に、連結部２１１、２１２は互いに封印具４０の挿入方向と平行な方向にずれて配置してもよい。図８（ａ）及び（ｂ）は、連結部２１１、２１２を互いに封印具４０の挿入方向である奥行き方向にずらして配置した例を示しており、このようにずらして配置することで、不正行為者が連結部２１１、２１２を切断痕が目立たないようにスムーズに切断することを更に困難とすることができる。
【００５６】
図９（ａ）及び（ｂ）も、連結部２１１、２１２を互いに封印具４０の挿入方向である奥行き方向にずらして配置した例を示しており、視点を変えた斜視図であるが、図８の例と異なるのは、連結部２１１、２１２を左右方向にはずらして配置していない点である。こうすると、表側の連結部２１１に、裏側の連結部２１２が隠れるようになるよので、不正行為者が連結部２１１、２１２を切断痕が目立たないようにスムーズに切断することを更に困難とすることができる。
【００５７】
次に、連結部２１１、２１２は１つの挿嵌部２１０に対して３以上設けてもよい。図１０（ａ）及び（ｂ）は、３つの連結部２１１〜２１３を設けた例を示しており、視点を変えた斜視図である。この例では、連結部２１２については切断障害部２１２ｂを挿嵌部２１０側に設け、連結部２１１及び２１３については、切断障害部２１１ｂ、２１３ｂを上ケース部材２０側に、切断許容部２１１ａ、２１３ａを挿嵌部２１０側に設けている。したがって、連結部２１１〜２１３を切断痕が目立たないようにスムーズに切断することを更に困難とすることができる。
【００５８】
次に、切断許容部２１１ａ、２１２ａを通過する任意の仮想平面に、切断障害部２１１ｂ、２１２ｂのの少なくともいずれか一方が干渉するように、これらの切断障害部２１１ｂ、２１２ｂを設けることが望ましい。図１１（ａ）は切断障害部の配置例の説明図である。同図において、平面Ｓは切断許容部２１１ａ、２１２ａを通過する仮想平面の１つであり、点Ｐ１、Ｐ２において切断障害部２１１ｂ、２１２ｂと僅かに干渉している。このように、切断許容部２１１ａ、２１２ａを通過する任意の仮想平面に対して、切断障害部２１１ｂ又は切断障害部２１２ｂの少なくともいずれかが干渉するようにする。
【００５９】
そうすると、不正行為者がレーザカッタ等で切断許容部２１１ａ、２１２ａを直線的に切断しようとしても、必ず切断障害部２１１ｂ又は切断障害部２１２ｂの少なくともいずれか一方に切断痕が残ることになる。図１１（ｂ）は切断障害部２１２ｂに残った切断痕（斜線部）の例を示している。このような切断痕の存在により、切断された挿嵌部２１０が元に戻されていても、切断されたことが分かる。
【００６０】
次に、上記例では挿嵌部２１０が直方体であったが、円筒状であってもよい。この場合、連結部２１１、２１２は、挿嵌部２１０に対する封印具４０の挿入方向を中心とした仮想円上で周方向にずれて配置することで、並設してもよい。図１２はその一例を示す。挿嵌部２１０は円筒状をなしており、連結部２１１、２１２は、封印具４０の挿入方向を中心とした仮想円上で周方向にずれて配置されて並設されている。連結部２１１、２１２の配設角度（嵌合孔２１０ａの中心と、各連結部２１１、２１２を結ぶ線分間の狭角）は１８０度未満であること、好ましくは９０度未満、更に好ましくは４５度未満であることが好ましい。
【００６１】
次に、挿通部２２０を連結部を介して下ケース部材２２に連結してもよい。図１３（ａ）はその説明図であり、図１３（ｂ）は図１３（ａ）の線Ｂ−Ｂに沿う断面図である。同図の例では、挿通部２２０は連結部２２１、２２２を介して下ケース部材２２に連結されている。連結部２２１、２２２は、連結部２１１、２１２に近接して配置されることが好ましく、同図の例では、連結部２１１、２１２の奥行き方向奥側に配置されている。
【００６２】
開封時には、連結部２２１、２２２を切断しなくても、連結部２１１、２１２を切断すれば開封できる。しかし、連結部２２１、２２２が存在することで、不正行為者が連結部２１１、２１２をレーザカッタ等で切断する際、連結部２２１、２２２が干渉するので、スムーズに切断することが困難となり、切断痕を残り易くすることができる。
【００６３】
以上、幾つかの例を述べたが、これらの例は互いに組み合わせて構成することも可能であることは言うまでも無い。
【００６４】
＜第２実施形態＞
本実施形態では連結部２１１、２１２の切断痕が、視覚的に発見しやすい構成例を説明する。本実施形態では、挿嵌部２１０の後方において、背板１０１ａの表面に着色したシートを設ける。図１４はシート１０１ｂを設けた例の説明図であり、図２と同様にスロットマシン１００の内部に設けられた基板ケース２０及びリール１１０乃至１１２を搭載したリールユニットの配置を示している。図１５はシート１０１ｂを設けた例の側面図であり、背板１０１ａには基板ケース装着部１０のみが装着され、基板ケース２０やカバー部材３０、３１は取り外した状態にある。
【００６５】
本実施形態では、前提として、連結部２１１、２１２、基板ケース装着部１０等を透明の部材とする。シート１０１ｂは何色でもよいが、切断痕とのコントラストが生じ易いように色であることが望ましい。しかして、本実施形態では、透明の連結部２１１、２１２を通してシート１０１ｂが見えるので、見た目上、連結部２１１、２１２がシート１０１ｂの色に見えるが切断痕があるとその部分だけ透過性が悪くなって背後のシート１０１ｂの色が見えず、異なる色に見える。よって、切断痕を視覚的に発見し易い。
【００６６】
なお、シート１０１ｂの配設部位は、背板１０１ａに限らず、基板ケース装着部１０の裏面、或いは、表面（基板ケース２０の装着面）、或いは、基板ケース２０の背面であってもよい。
【００６７】
＜第３実施形態＞
上記第１実施形態では、封印具４０、５０のいずれも上ケース２１側の構成と嵌合するもので、下ケース部材２２側の構成と嵌合する形式の封印構造ではないが、下ケース部材２２側の構成と嵌合する形式の封印構造にも本発明は適用可能である。
【００６８】
図１６（ａ）は、封印具が下ケース部材２２側の構成と嵌合する形式の封印構造の説明図である。封印具４０’はその先端にかえし部４４’を有している。同図では不図示の上ケース部材２１には挿嵌部２１０に代えて封印具４０が挿通する挿通部２１０’が連結され、また、同図では不図示の下ケース部材２２には挿通部２２０に代えて封印具４０が嵌合する挿嵌部２２０’が連結される。しかして、挿通部２１０’を通過した封印具４０の先端のかえし部４４’が挿嵌部２２０’の嵌合孔に嵌合することで、上ケース部材２１と下ケース部材２２とが分離不能となる。
【００６９】
この構成の場合、挿通部２１０’と上ケース部材２１とを連結する連結部、挿嵌部２２０’としたケース部材２２とを連結する連結部、をそれぞれ切断することで封印を解除できるが、連結部の設け方は幾つか方法がある。
【００７０】
図１６（ｂ）の例は、挿通部２１０’と上ケース部材２１とを連結する連結部２１１’、挿嵌部２２０’と下ケース部材２２とを連結する連結部２２１’を、それぞれ少なくとも１つずつ設けることで、並設した連結部を構成したものである。
【００７１】
図１６（ｃ）の例は、挿通部２１０’と上ケース部材２１とを連結する連結部２１１“、挿嵌部２２０’と下ケース部材２２とを連結する連結部２２１”を、あわせ面で合わせて見た目上１つの合成連結部としたものである。この構成の場合、少なくとももう１つ組みの連結部２１１“及び連結部２２１”を設けることで、合成連結部を並設することになる。
【図１】
2011041761.tif 000003
【図２】
2011041761.tif 000004
【図３】
2011041761.tif 000005
【図４】
2011041761.tif 000006
【図５】
2011041761.tif 000007
【図６】
2011041761.tif 000008
【図７】
2011041761.tif 000009
【図８】
2011041761.tif 000010
【図９】
2011041761.tif 000011
【図１０】
2011041761.tif 000012
【図１１】
2011041761.tif 000013
【図１２】
2011041761.tif 000014
【図１３】
2011041761.tif 000015
【図１４】
2011041761.tif 000016
【図１５】
2011041761.tif 000017
【図１６】
2011041761.tif 000018